(57)【要約】  【課題】  部品の着脱回数を減らし、製造及び（又は）メンテナンスに必要な工程、時間を低減することができるとともに、製造コストを低減することができる光ディスク駆動機構及びこれを用いた光ディスク装置を提供する。  【解決手段】  軸部４０と、光ヘッド３にねじ込まれる雄ねじ部４１と、トラバースシャーシ１の貫通孔１１の側面１１１と係合する係合部４２と、支持ボルト４を回動するときに工具を係合するための工具係合部４３とを有し、工具係合部４３の軸孔５０より突出した部分にも平面部４３２が形成されている。【選択図】      図４
2006338764.tif 000002
【特許請求の範囲】
【請求項１】
光ディスクを立てて挿入、駆動する光ディスク駆動機構を備え、該光ディスクにレーザ
光を照射することで、データの記録、読出を行う光ディスク装置であって、
前記光ディスク駆動機構は、前記光ディスクにレーザ光を照射する光ヘッドと、前記光
ディスクを回動させるディスク回動部と、前記光ヘッド及び前記ディスク回動部を支持す
るトラバースシャーシとを有しており、
前記トラバースシャーシは前記光ヘッドが摺動するときにその摺動方向をガイドする１
本のガイド軸と、前記光ヘッドが前記ガイド軸に沿って摺動するときに光ヘッドの動作を
妨げないようにするための摺動用貫通孔とを備えており、
前記光ヘッドは前記ガイド軸と摺動可能に係合する係合部と、前記光ディスクにレーザ
光を照射する対物レンズと、前記係合部の反対側に取り付けられ、前記トラバースシャー
シの貫通孔の側面と係合する支持ボルトと、前記支持ボルトに取り付けられ前記トラバー
スシャーシを弾性押圧する弾性部材とを有し、
前記支持ボルトは軸部と、前記光ヘッドにねじ込まれる雄ねじ部と、前記トラバースシ
ャーシの貫通孔の側面を挟む係合部と、前記軸部の先端に形成され工具を係合するための
工具係合部とを有し、
前記係合部は前記軸部の軸方向に所定の間隔をあけ、該軸部に一体形成される２個のフ
ランジ部を備えており、前記工具係合部は前記軸部の先端から前記フランジ部にかけて、
等中心角度間隔に形成される３個の平面部と、前記平面部の軸方向長さよりも短く等中止
角度間隔に前記軸部及び前記フランジ部と一体形成される３個のリブとを備え、
前記弾性部材は前記支持ボルトの先端が貫通する軸孔と、前記工具係合部のリブに接触
配置されえる接触部と、前記接触部と連結し前記トラバースシャーシを弾性押圧する押圧
部と、前記係合部のフランジ部と係合する爪部と、前記接触部と前記爪部とを接続する接
続部とを有しており、
前記工具係合部の前記弾性部材の軸孔より突出する部分は前記３個の平面部が形成され
ていることを特徴とする光ディスク装置。
【請求項２】
光ディスクを立てて挿入、駆動する光ディスク駆動機構を備え、該光ディスクにレーザ
光を照射することで、データの記録、読出を行う光ディスク装置であって、
前記光ディスク駆動機構は、前記光ディスクにレーザ光を照射する光ヘッドと、前記光
ディスクを回動させるディスク回動部と、前記光ヘッド及び前記ディスク回動部を支持す
るトラバースシャーシとを有しており、
前記トラバースシャーシは前記光ヘッドが摺動するときにその摺動方向をガイドする１
本のガイド軸と、前記光ヘッドが前記ガイド軸に沿って摺動するときに光ヘッドの動作を
妨げないようにするための摺動用貫通孔とを備えており、
前記光ヘッドは前記ガイド軸と摺動可能に係合する係合部と、前記光ディスクにレーザ
光を照射する対物レンズと、前記係合部の反対側に取り付けられ、前記トラバースシャー
シの貫通孔の側面と係合する支持ボルトと、前記支持ボルトに取り付けられ前記トラバー
スシャーシを弾性押圧する弾性部材とを有し、
前記支持ボルトは軸部と、前記トラバースシャーシの貫通孔の側面を挟む係合部と、前
記軸部の先端に形成され工具を係合するための工具係合部とを有し、
前記弾性部材は前記支持ボルトの先端が貫通する軸孔と、前記工具係合部のリブに接触
配置されえる接触部とを有しており、
前記工具係合部の前記弾性部材の軸孔より突出する部分は工具を係合することができる
形状を有していることを特徴とする光ディスク装置。
【請求項３】
前記工具係合部の前記軸孔より突出する部分は等中心角度間隔に複数の平面部が形成さ
れていることを特徴とする請求項２に記載の光ディスク装置。
【請求項４】
前記工具係合部の前記軸孔より突出する部分は軸方向に延びる複数本の溝が等中心角度
間隔に配置されていることを特徴とする請求項２に記載の光ディスク装置。
【請求項５】
トラバースシャーシと光ヘッドを有し光ディスクを立てて挿入、駆動する光ディスク駆
動機構であって、
トラバースシャーシに形成されたガイド軸と摺動可能に係合する係合部と、
前記光ディスクにレーザ光を照射する対物レンズと、
前記係合部の反対側に取り付けられ、トラバースシャーシの貫通孔の側面と係合する支
持ボルトと、
前記支持ボルトに取り付けられ前記トラバースシャーシを弾性押圧する弾性部材とを有
し、
前記支持ボルトは軸部と、前記光ヘッドにねじ込まれる雄ねじ部と、前記トラバースシ
ャーシの貫通孔の側面を挟む係合部と、前記軸部の先端に形成され工具を係合するための
工具係合部とを有し、
前記係合部は前記軸部の軸方向に所定の間隔をあけ、該軸部に一体形成される２個のフ
ランジ部を備えており、前記工具係合部は前記軸部の先端から前記フランジ部にかけて、
等中心角度間隔に形成される３個の平面部と、前記平面部の軸方向長さよりも短く等中止
角度間隔に前記軸部及び前記フランジ部と一体形成される３個のリブとを備え、
前記弾性部材は前記支持ボルトの先端が貫通する軸孔と、前記工具係合部のリブに接触
配置されえる接触部と、前記接触部と連結し前記トラバースシャーシを弾性押圧する押圧
部と、前記係合部のフランジ部と係合する爪部と、前記接触部と前記爪部とを接続する接
続部とを有しており、
前記工具係合部の前記弾性部材の軸孔より突出する部分は前記３個の平面部が形成され
ていることを特徴とする光ディスク駆動機構。
【請求項６】
トラバースシャーシと光ヘッドを有し光ディスクを立てて挿入、駆動する光ディスク駆
動機構であって、
前記トラバースシャーシに配置されたガイド軸と摺動可能に係合する係合部と、
前記光ディスクにレーザ光を照射する対物レンズと、
前記係合部の反対側に取り付けられ、前記トラバースシャーシの貫通孔の側面と係合す
る支持ボルトと、
前記支持ボルトに取り付けられ前記トラバースシャーシを弾性押圧する弾性部材とを有
し、
前記支持ボルトは軸部と、前記トラバースシャーシの貫通孔の側面を挟む係合部と、前
記軸部の先端に形成され工具を係合するための工具係合部とを有し、
前記弾性部材は前記支持ボルトの先端が貫通する軸孔と、前記工具係合部のリブに接触
配置されえる接触部とを有しており、
前記工具係合部の前記弾性部材の軸孔より突出する部分は工具を係合することができる
形状を有していることを特徴とする光ディスク駆動機構。
【請求項７】
前記工具係合部の前記軸孔より突出する部分は等中心角度間隔に複数の平面部が形成さ
れていることを特徴とする請求項６に記載の光ディスク駆動機構。
【請求項８】
前記工具係合部の前記軸孔より突出する部分は軸方向に延びる複数本の溝が等中心角度
間隔に配置されていることを特徴とする請求項６に記載の光ディスク駆動機構。
【発明の詳細な説明】
【技術分野】
【０００１】
本発明は、光ディスクを立てた状態で挿入し、駆動する光ディスク駆動機構及びこれを
用いた光ディスク装置に関するものである。
【背景技術】
【０００２】
映像、音声又は情報の記録媒体としてレーザ光を照射することで記録及び（又は）読出
しすることができる光ディスクを用いるものが多く用いられている。前記光ディスクとし
てＣＤ（Compact Disc）、ＤＶＤ（Digital Versatile Disc）等が広く用いられている。
これら光ディスクを記録媒体として該光ディスクにデータの記録及び（又は）読出しを行
う光ディスク装置は光ディスクの記録面に対しレーザ光を照射し、反射してきた光を検出
する光ヘッドを備えている。
【０００３】
近年、設置スペースの省スペース化のために前記光ディスク装置を縦置きにするものが
増えている。また、前記光ディスク装置に光ディスクを挿入する方法としてトレイを省略
したスロットインタイプの光ディスク装置が増えている。
【０００４】
前記光ヘッドは対物レンズを有しており、該対物レンズにてレーザ光を集光し、レーザ
スポットとして光ディスクの記録面に照射し、前記光ディスクに記録されている情報を読
み出したり、前記光ディスクに情報を書き込んだりする。この情報の読み出し及び情報の
記録の精度を高めるためには、レーザ光を適正に照射することが必要である。そのために
、前記光ディスクの記録面と前記光ヘッドとの距離及び角度を適正な値に保ち、前記レー
ザスポットを前記光ディスクの記録面に照射する必要がある。
【０００５】
前記光光ディスクと前記光ヘッドから照射されるレーザ光の光軸とがなす角が適正な角
度になるように、前記光ヘッドの傾きの調整を行い、前記光ディスクの記録面と前記レー
ザ光の光軸とがなす角度を適正な値になるように調整している。
【０００６】
図５（Ａ）に従来の光ディスク駆動機構の正面図を、図５（Ｂ）に図５（Ａ）に示す光
ディスク駆動機構の断面図を示す。図５に示す光ディスク駆動機構Ｂは、光ディスクＤｓ
を立てて挿入、駆動するものである。光ディスク駆動機構Ｂはトラバースシャーシ９１と
、トラバースシャーシ９１に取り付けられ光ディスクＤｓを回転駆動する光ディスク回動
部９２と、光ディスクＤｓにレーザ光を照射する光ヘッド９３とを有している。
【０００７】
トラバースシャーシ９１には、光ヘッド９３が摺動するための貫通孔９１１を有してお
り、ガイド軸９１２が貫通孔９１１を横切るように固定されている。光ヘッド９３はガイ
ド軸９１２に係合しており、ガイド軸９１２に沿って摺動する。摺動方向は光ディスクＤ
ｓの半径方向である。
【０００８】
光ディスク回動部９２はスピンドルモータ９２１と、スピンドルモータ９２１と連結し
スピンドルモータ９２１が駆動することで回動する回転軸９２２と、回転軸９２２に固定
され、光ディスクＤｓを保持するターンテーブル９２３とを有している。
【０００９】
光ヘッド９３はガイド軸９１２と摺動可能に係合する係合部９３１と、光ディスクＤｓ
にレーザ光を照射する対物レンズ９３２と、係合部９３１の反対側に取り付けられ、トラ
バースシャーシ９１の貫通孔９１１の側面と係合する支持ボルト９４とを有している。光
ヘッド９３は図示を省略した駆動機構を利用し、ガイド軸９１２に沿って往復動する。図
２に示すように光ヘッド９３の対物レンズ９３２は、光ディスクＤｓの中心部（換言する
と、スピンドルモータ９２１の回転中心）から半径方向に往復動する。
【００１０】
図６（Ａ）に図５に示す光ディスク駆動機構に使用される支持ボルトの拡大正面図を、
図６（Ｂ）に支持ボルトの拡大断面図を示す。支持ボルト９４は光ヘッド９３にねじ込ま
れる雄ねじ部９４１と、トラバースシャーシ９１の貫通孔９１１の側面と係合する係合部
９４２と、支持ボルト９４を回動するときに工具を係合するための工具係合部９４３とを
有している。係合部９４２は２個のフランジ部９４５を備えておりフランジ部９４５でト
ラバースシャーシ９１の貫通孔９１１の側面と係合している。また、工具係合部９４３に
は等中心角度間隔に半径方向に突出するリブ９４６が一体形成されている。
【００１１】
光ディスク駆動機構は光ディスクＤｓが立つように配置されるので、支持ボルト９４の
係合部９４２の隙間とトラバースシャーシ９１との隙間によって光ヘッド９３のブレが発
生する。光ヘッド９３のブレを押えるために、図６に示すように光ヘッド９３を付勢する
弾性部材９５が取り付けられている。
【００１２】
弾性部材９５は金属板をプレス加工にて切曲げて製造するものであり、支持ボルト９４
の工具係合部９４３のリブ９４６の上部に接触支持される接触部９５１と、トラバースシ
ャーシ９１を弾性押圧する押圧部９５２と、支持ボルト９４のフランジ部９４５と係合し
、弾性部材９５が脱落するのを防止する爪部９５３と、接触部９５１と爪部９５３とを接
続する接続部９５４とを有している。接触部９５１には工具係合部９４３が貫通するため
の軸孔９５０が形成されている。
【００１３】
工具係合部９４３のリブ９４６と歯合する工具を用いて、支持ボルト９４を回動するこ
とで、光ヘッド９３は支持軸９１２を中心に回動する。光ヘッド９３が回動することで、
光ヘッド９３とトラバースシャーシ９１との光ディスクＤｓの周方向角度を調整すること
ができる。これにより、光ヘッド９３から出射されるレーザ光の光軸の光ディスクＤｓの
記録面に対する傾角を調整することができる。調整した後に、弾性部材９５を取り付け、
光ヘッド９３を押えることで光ヘッド９３のガタの発生を抑制する。
【００１４】
光ヘッドから照射されるレーザ光の光軸の光ディスクに対する傾角を調整するものは、
特開２００３−２８８７２８号公報、特開平９−４４８７９号公報、実開平７−４１７０
８号公報等に提案されている。
【特許文献１】特開２００３−２８８７２８号公報
【特許文献２】特開平９−４４８７９号公報
【特許文献３】実開平７−４１７０８号公報
【発明の開示】
【発明が解決しようとする課題】
【００１５】
しかしながら、光ヘッド９３から出射されるレーザ光の光軸と光ディスクＤｓとの角度
を調整した後に、弾性部材９５を取り付ける場合、弾性部材９５を取り付けるときに光ヘ
ッド９３、支持ボルト９４を触れてしまい、レーザ光の光軸と光ディスクＤｓとの角度が
狂ってしまう場合がある。
【００１６】
レーザ光の光軸と光ディスクＤｓの角度が適正な角度でない場合、光ディスクＤｓに記
録されているデータを正確に読み出せなかったり、光ディスクＤｓにデータを正確に書き
込みできなかったりする。
【００１７】
工具係合部９４３の軸孔９５０より突出した部分は円柱状に形成されており、工具が係
合することができず、光ディスク９３の傾角を調整しなおすためには、弾性部材９５を取
外した後、リブ９４６に工具を歯合させて、再度調整した後に、弾性部材９５を取り付け
なくてはならず、手間と時間がかかる。また、光ヘッド９３の傾角が狂わないように、弾
性部材９５を取り付けるには高度な技術が必要である。
【００１８】
また、特開２００３−２８８７２８号公報、特開平９−４４８７９号公報、実開平７−
４１７０８号公報等に提案されている光ピックアップ等は本発明のように光ディスクが立
った状態で挿入、駆動されえるものではなく、光ディスク駆動機構を縦型に配置すること
で生じる上記の課題を解決することはできない。
【００１９】
そこで本発明は、光ヘッドから照射されるレーザ光の光軸の光ディスクに対する傾角の
調整を随時行うことができ、それだけ、部品の着脱回数を減らし、製造及び（又は）メン
テナンスに必要な工程、時間を低減することができるとともに、製造コストを低減するこ
とができる光ディスク駆動機構及びこれを用いた光ディスク装置を提供することを目的と
する。
【００２０】
また本発明は、特殊な技術を用いなくても、光ヘッドから照射されるレーザ光の光軸の
光ディスクに対する傾角の調整を随時行うことができ、それだけ、製造の手間、コストを
低減することができる光ディスク駆動機構及びこれを用いた光ディスク装置を提供するこ
とを目的とする。
【００２１】
また本発明は、光ヘッドから光ディスクに高精度でレーザ光を照射することができ、そ
れだけ、データの読出し又は記録を高精度で行うことができる光ディスク駆動機構及びこ
れを用いた光ディスク装置を提供することを目的とする。
【課題を解決するための手段】
【００２２】
上記目的を達成するために本発明は、光ディスクを立てて挿入、駆動する光ディスク駆
動機構を備え、該光ディスクにレーザ光を照射することで、データの記録、読出を行う光
ディスク装置であって、前記光ディスク駆動機構は、前記光ディスクにレーザ光を照射す
る光ヘッドと、前記光ディスクを回動させるディスク回動部と、前記光ヘッド及び前記デ
ィスク回動部を支持するトラバースシャーシとを有しており、前記トラバースシャーシは
前記光ヘッドが摺動するときにその摺動方向をガイドする１本のガイド軸と、前記光ヘッ
ドが前記ガイド軸に沿って摺動するときに光ヘッドの動作を妨げないようにするための摺
動用貫通孔とを備えており、前記光ヘッドは前記ガイド軸と摺動可能に係合する係合部と
、前記光ディスクにレーザ光を照射する対物レンズと、前記係合部の反対側に取り付けら
れ、前記トラバースシャーシの貫通孔の側面と係合する支持ボルトと、前記支持ボルトに
取り付けられ前記トラバースシャーシを弾性押圧する弾性部材とを有し、前記支持ボルト
は軸部と、前記光ヘッドにねじ込まれる雄ねじ部と、前記トラバースシャーシの貫通孔の
側面を挟む係合部と、前記軸部の先端に形成され工具を係合するための工具係合部とを有
し、前記係合部は前記軸部の軸方向に所定の間隔をあけ、該軸部に一体形成される２個の
フランジ部を備えており、前記工具係合部は前記軸部の先端から前記フランジ部にかけて
、等中心角度間隔に形成される３個の平面部と、前記平面部の軸方向長さよりも短く等中
止角度間隔に前記軸部及び前記フランジ部と一体形成される３個のリブとを備え、前記弾
性部材は前記支持ボルトの先端が貫通する軸孔と、前記工具係合部のリブに接触配置され
える接触部と、前記接触部と連結し前記トラバースシャーシを弾性押圧する押圧部と、前
記係合部のフランジ部と係合する爪部と、前記接触部と前記爪部とを接続する接続部とを
有しており、前記工具係合部の前記弾性部材の軸孔より突出する部分は前記３個の平面部
が形成されていることを特徴とする。
【００２３】
この構成によると、前記弾性部材を取り付けた後、前記支持ボルトの工具係合部の該弾
性部材の軸孔より突出した部分に工具を係合し、該支持ボルトを回動することができる。
前記弾性部材を取り付けた後に前記支持ボルトを回動することができるので、該弾性部材
を取り付けるときに、前記光ヘッドの傾角を狂わせてしまっても、該弾性部材を取り付け
たまま該光ヘッドの傾角を調整することができる。
【００２４】
このことは、前記光ヘッドから照射されるレーザ光が光ディスクに対して、適切な傾角
を維持して照射されるので、光ディスクからのデータの読出し、光ディスクへのデータの
書き込みエラーを低減することができるのでそれだけ、光ディスク装置の動作精度を上げ
ることができる。
【００２５】
また、上記目的を達成するために本発明は、光ディスクを立てて挿入、駆動する光ディ
スク駆動機構を備え、該光ディスクにレーザ光を照射することで、データの記録、読出を
行う光ディスク装置であって、前記光ディスク駆動機構は、前記光ディスクにレーザ光を
照射する光ヘッドと、前記光ディスクを回動させるディスク回動部と、前記光ヘッド及び
前記ディスク回動部を支持するトラバースシャーシとを有しており、前記トラバースシャ
ーシは前記光ヘッドが摺動するときにその摺動方向をガイドする１本のガイド軸と、前記
光ヘッドが前記ガイド軸に沿って摺動するときに光ヘッドの動作を妨げないようにするた
めの摺動用貫通孔とを備えており、前記光ヘッドは前記ガイド軸と摺動可能に係合する係
合部と、前記光ディスクにレーザ光を照射する対物レンズと、前記係合部の反対側に取り
付けられ、前記トラバースシャーシの貫通孔の側面と係合する支持ボルトと、前記支持ボ
ルトに取り付けられ前記トラバースシャーシを弾性押圧する弾性部材とを有し、前記支持
ボルトは軸部と、前記トラバースシャーシの貫通孔の側面を挟む係合部と、前記軸部の先
端に形成され工具を係合するための工具係合部とを有し、前記弾性部材は前記支持ボルト
の先端が貫通する軸孔と、前記工具係合部のリブに接触配置されえる接触部とを有してお
り、前記工具係合部の前記弾性部材の軸孔より突出する部分は工具を係合することができ
る形状を有していることを特徴とする。
【００２６】
この構成によると、前記弾性部材を取り付けた後、前記支持ボルトの工具係合部の該弾
性部材の軸孔より突出した部分に工具を係合し、該支持ボルトを回動することができる。
前記弾性部材を取り付けた後に前記支持ボルトを回動することができるので、該弾性部材
を取り付けるときに、前記光ヘッドの傾角を狂わせてしまっても、該弾性部材を取り付け
たまま該光ヘッドの傾角を調整することができる。
【００２７】
このことは、前記光ヘッドから照射されるレーザ光が光ディスクに対して、適切な傾角
を維持して照射されるので、光ディスクからのデータの読出し、光ディスクへのデータの
書き込みエラーを低減することができるのでそれだけ、光ディスク装置の動作精度を上げ
ることができる。
【００２８】
上記構成において前記工具係合部の前記軸孔より突出する部分は等中心角度間隔に複数
の平面部が形成されているものであってもよく、軸方向に延びる複数本の溝が等中心角度
間隔に配置されているものであってもよい。また、これらに限定されるものではなく、前
記工具係合部を前記軸孔に容易に挿入することができ、該軸孔より突出する部分と前記支
持ボルトを回動するための工具を確実に係合できるものを広く採用することができる。
【００２９】
上記目的を達成するために本発明は、トラバースシャーシと光ヘッドを有し光ディスク
を立てて挿入、駆動する光ディスク駆動機構であって、トラバースシャーシに形成された
ガイド軸と摺動可能に係合する係合部と、前記光ディスクにレーザ光を照射する対物レン
ズと、前記係合部の反対側に取り付けられ、トラバースシャーシの貫通孔の側面と係合す
る支持ボルトと、前記支持ボルトに取り付けられ前記トラバースシャーシを弾性押圧する
弾性部材とを有し、前記支持ボルトは軸部と、前記光ヘッドにねじ込まれる雄ねじ部と、
前記トラバースシャーシの貫通孔の側面を挟む係合部と、前記軸部の先端に形成され工具
を係合するための工具係合部とを有し、前記係合部は前記軸部の軸方向に所定の間隔をあ
け、該軸部に一体形成される２個のフランジ部を備えており、前記工具係合部は前記軸部
の先端から前記フランジ部にかけて、等中心角度間隔に形成される３個の平面部と、前記
平面部の軸方向長さよりも短く等中止角度間隔に前記軸部及び前記フランジ部と一体形成
される３個のリブとを備え、前記弾性部材は前記支持ボルトの先端が貫通する軸孔と、前
記工具係合部のリブに接触配置されえる接触部と、前記接触部と連結し前記トラバースシ
ャーシを弾性押圧する押圧部と、前記係合部のフランジ部と係合する爪部と、前記接触部
と前記爪部とを接続する接続部とを有しており、前記工具係合部の前記弾性部材の軸孔よ
り突出する部分は前記３個の平面部が形成されていることを特徴とする。
【００３０】
この構成によると、前記弾性部材を取り付けた後、前記支持ボルトの工具係合部の該弾
性部材の軸孔より突出した部分に工具を係合し、該支持ボルトを回動することができる。
前記弾性部材を取り付けた後に前記支持ボルトを回動することができるので、該弾性部材
を取り付けるときに、前記光ヘッドの傾角を狂わせてしまっても、該弾性部材を取り付け
たまま該光ヘッドの傾角を調整することができる。
【００３１】
このことは、前記光ヘッドから照射されるレーザ光が光ディスクに対して、適切な傾角
を維持して照射されるので、光ディスクからのデータの読出し、光ディスクへのデータの
書き込みエラーを低減することができるのでそれだけ、光ディスク装置の動作精度を上げ
ることができる。
【００３２】
上記目的を達成するために本発明は、トラバースシャーシと光ヘッドを有し光ディスク
を立てて挿入、駆動する光ディスク駆動機構であって、前記トラバースシャーシに配置さ
れたガイド軸と摺動可能に係合する係合部と、前記光ディスクにレーザ光を照射する対物
レンズと、前記係合部の反対側に取り付けられ、前記トラバースシャーシの貫通孔の側面
と係合する支持ボルトと、前記支持ボルトに取り付けられ前記トラバースシャーシを弾性
押圧する弾性部材とを有し、前記支持ボルトは軸部と、前記トラバースシャーシの貫通孔
の側面を挟む係合部と、前記軸部の先端に形成され工具を係合するための工具係合部とを
有し、前記弾性部材は前記支持ボルトの先端が貫通する軸孔と、前記工具係合部のリブに
接触配置されえる接触部とを有しており、前記工具係合部の前記弾性部材の軸孔より突出
する部分は工具を係合することができる形状を有していることを特徴とする。
【００３３】
この構成によると、前記弾性部材を取り付けた後、前記支持ボルトの工具係合部の該弾
性部材の軸孔より突出した部分に工具を係合し、該支持ボルトを回動することができる。
前記弾性部材を取り付けた後に前記支持ボルトを回動することができるので、該弾性部材
を取り付けるときに、前記光ヘッドの傾角を狂わせてしまっても、該弾性部材を取り付け
たまま該光ヘッドの傾角を調整することができる。
【００３４】
このことは、前記光ヘッドから照射されるレーザ光が光ディスクに対して、適切な傾角
を維持して照射されるので、光ディスクからのデータの読出し、光ディスクへのデータの
書き込みエラーを低減することができるのでそれだけ、光ディスク装置の動作精度を上げ
ることができる。
【００３５】
上記構成において前記工具係合部の前記軸孔より突出する部分は等中心角度間隔に複数
の平面部が形成されているものであってもよく、軸方向に延びる複数本の溝が等中心角度
間隔に配置されているものであってもよい。また、これらに限定されるものではなく、前
記工具係合部を前記軸孔に容易に挿入することができ、該軸孔より突出する部分と前記支
持ボルトを回動するための工具を確実に係合できるものを広く採用することができる。
【発明の効果】
【００３６】
本発明によると、光ヘッドから照射されるレーザ光の光軸の光ディスクに対する傾角の
調整を随時行うことができ、それだけ、部品の着脱回数を減らし、製造及び（又は）メン
テナンスに必要な工程、時間を低減することができるとともに、製造コストを低減するこ
とができる光ディスク駆動機構及びこれを用いた光ディスク装置を提供することができる
。
【００３７】
また本発明によると、特殊な技術を用いなくても、光ヘッドから照射されるレーザ光の
光軸の光ディスクに対する傾角の調整を随時行うことができ、それだけ、製造の手間、コ
ストを低減することができる光ディスク駆動機構及びこれを用いた光ディスク装置を提供
することができる。
【００３８】
また本発明によると、光ヘッドから光ディスクに高精度でレーザ光を照射することがで
き、それだけ、データの読出し又は記録を高精度で行うことができる光ディスク駆動機構
及びこれを用いた光ディスク装置を提供することができる。
【発明を実施するための最良の形態】
【００３９】
以下に本発明の実施形態を図面を参照して説明する。図１に本発明にかかる光ディスク
装置の概略配置図を示す。図１に示す光ディスク装置ＰＬは光ディスクＤｓを立てた状態
で挿入し、駆動するスロットイン型の光ディスク装置である。光ディスク装置ＰＬは光デ
ィスクＤｓを立てた状態で挿入し、駆動する光ディスク駆動機構Ａと、信号を処理するた
めの信号処理装置Ｄｃと、信号処理装置Ｄｃにて復号化された信号を外部の映像表示部Ｍ
ｎに接続するための外部接続部Ｏｃと、制御部Ｃｏｎｔとを備えている。図１に示す光デ
ィスク装置ＰＬはそれには限定されないが、ここでは、ＤＶＤプレーヤである。
【００４０】
図２（Ａ）に本発明にかかる光ディスク駆動機構の要部の正面図を、図２（Ｂ）に図２
（Ａ）に示す光ディスク駆動機構の側断面図を示す。図２に示す光ディスク駆動機構Ａは
、トラバースシャーシ１と、トラバースシャーシ１に取り付けられ光ディスクＤｓを保持
するとともに、回転駆動する光ディスク回動部２と、光ディスクＤｓにレーザ光を照射す
る光ヘッド３とを有している。
【００４１】
図２に示すようにトラバースシャーシ１は矩形状を有しており、中央部に貫通孔１１が
形成されている。貫通孔１１の下面部を横切るように且つトラバースシャーシ１の長手方
向に沿って１本のガイド軸１２が配置されている。
【００４２】
光ディスク回動部２は、スピンドルモータ２１と、スピンドルモータ２１と連結しスピ
ンドルモータ２１が駆動することで回動する回転軸２２と、回転軸２２に固定され、図示
を省略したクランプと光ディスクＤｓを上下から挟んで保持するターンテーブル２３とを
有している。スピンドルモータ２１は、トラバースシャーシ１に固定されており、スピン
ドルモータ２１が駆動することで、回転軸２２及び回転軸２２に固定されたターンテーブ
ル２３が回転する。このとき、光ディスクＤｓはターンテーブル２３に保持されており、
回転軸２２を中心に回転する。
【００４３】
光ヘッド３はガイド軸１２と摺動可能に係合する係合部３１と、光ディスクＤｓにレー
ザ光を照射する対物レンズ３２と、係合部３１の反対側に取り付けられ、トラバースシャ
ーシ１の貫通孔１１の側面１１１と係合する支持ボルト４とを有している。光ヘッド３は
図示を省略した駆動機構を利用し、ガイド軸１２に沿って往復動する。図２に示すように
光ヘッド３の対物レンズ３２は、光ディスクＤｓの中心部（換言すると、スピンドルモー
タ２１の回転中心）から半径方向に往復動する。このとき、支持ボルト４は貫通孔１１の
側面１１１と係合し、光ヘッド３の姿勢を維持している。支持ボルト４には、弾性部材５
が取り付けられている。
【００４４】
図３に図２に示す光ディスク駆動機構に使用される支持ボルトの拡大正面図を、図４に
図３に示す支持ボルトの拡大断面図を示す。支持ボルト４は軸部４０と、光ヘッド３にね
じ込まれる雄ねじ部４１と、トラバースシャーシ１の貫通孔１１の側面１１１と係合する
係合部４２と、支持ボルト４を回動するときに工具を係合するための工具係合部４３とを
有している。係合部４２はトラバースシャーシ１の貫通孔１１の側面１１１の厚みよりも
大きく軸方向に離れて２個のフランジ部４２１が軸部４０と一体形成されている。また、
工具係合部４３には等中心角度間隔に半径方向に突出するリブ４３１が軸部４０及びフラ
ンジ部４２１と一体形成されている。
【００４５】
図３、図４に示すように支持ボルト４の工具係合部４３は軸方向に沿って延びる３面の
平面部４３２を有している。この平面部４３２はそれには限定されないが、互いに他の平
面部と６０°の角度をなすように形成されている。リブ４３１のフランジ部４２１から先
端までの長さは、平面部４３２の長さよりも短くなるように形成されている。
【００４６】
図４に示すように支持ボルト４を回動することで、光ヘッド３の雄ねじ部４１が螺合さ
れている部分とトラバースシャーシ１の係合部４２が係合している部分の長さを調整する
ことができる。図２に示すように光ヘッド３はガイド軸１２に係合支持されているもので
あり、光ヘッド３はガイド軸１２を中心に回動し、光ヘッド３のトラバースシャーシ１に
対する光ディスクＤｓの周方向の傾角を調整することができる。
【００４７】
光ディスク回動装置２がトラバースシャーシ１に取り付けられていることより、光ヘッ
ド３のトラバースシャーシ１に対する傾角を調整することで光ヘッド３から照射されるレ
ーザ光の光軸の光ディスクＤｓに対する傾角を調整することが可能である。
【００４８】
光ディスク駆動機構は光ディスクＤｓが立つように配置されるので、支持ボルト４の係
合部４２のフランジ部４２１とトラバースシャーシ１との隙間によって光ヘッド３のブレ
が発生する。光ヘッド３のブレを押えるために、図４に示すように光ヘッド３を付勢する
弾性部材５が取り付けられている。
【００４９】
弾性部材５は金属板をプレス加工にて切曲げて製造するものであり、支持ボルト４の工
具係合部４３のリブ４３１の上部に接触支持される接触部５１と、接触部５１と連結しト
ラバースシャーシ１を弾性押圧する押圧部５２と、支持ボルト４の係合部４２のフランジ
部４２１と係合し弾性部材５が脱落するのを防止する爪部５３と、接触部５１と爪部５３
とを接続する接続部５４とを有している。接触部５１には工具係合部４３が貫通するため
の軸孔５０が形成されている。支持ボルト４の工具係合部４３の先端部４３０は弾性部材
５の接触部５１に設けられた軸孔５０より突出している。工具係合部４３の軸孔５０より
突出した部分も平面部４３２が形成されており、軸孔５０より突出した部分も工具と係合
可能である。
【００５０】
弾性部材５は押圧部５２がトラバースシャーシ１を押圧するときの反力で接触部５１が
トラバースシャーシ１からはなれる方向に付勢される。接触部５１は接続部５４を介して
爪部５３と連結しており、爪部５３は支持ボルト４の係合部４２のフランジ部４２１に係
合していることから、爪部５３はフランジ部４２１を支持ボルト４の工具係合部４３側に
付勢する。支持ボルト４は弾性部材５にて付勢されることで、支持ボルト４の係合部４２
のフランジ部４２１がトラバースシャーシ１の貫通孔１１の側面１１１に密着して安定す
る。
【００５１】
支持ボルト４は雄ねじ部４１が光ヘッド３にねじ込まれているので、光ヘッド３も安定
した状態を保つことができ、光ヘッド３のガタが発生するのを抑制することができる。
【００５２】
光ディスク駆動機構Ａでは、支持ボルト４を回動して光ヘッド３のトラバースシャーシ
１に対する傾角を調整した後、支持ボルト４に弾性部材５を取り付ける。弾性部材５を取
り付けるときに誤って支持ボルト４を回動させてしまい光ヘッド３の傾角が適正な角度か
らずれてしまっても、支持ボルト４の工具係合部４３が弾性部材５の軸孔５０から突出し
た部分にも平面部４３２が形成されており工具を係合し回動することができるので、再度
支持ボルト４を回動させて、光ヘッド３の傾角を調整することができる。
【００５３】
上記実施例において、工具係合部４３の平面部４３２は３面形成されているものを例示
しているがそれに限定されるものではなく、４面、６面等支持ボルトを回動するための工
具を容易に係合することができるものを広く採用することができる。また、面でなく、工
具が係合でき、支持ボルトを回動することができる形状のものを広く採用することができ
る。
【産業上の利用可能性】
【００５４】
本発明の光ディスク駆動機構は、ＤＶＤ、ＣＤ等の光ディスクを記録媒体とする光ディ
スク装置において適用することができる。
【図面の簡単な説明】
【００５５】
【図１】本発明にかかる光ディスク装置の概略配置図である。
【図２】図（Ａ）は本発明にかかる光ディスク駆動機構の要部の正面図である、図（Ｂ）は図（Ａ）に示す光ディスク駆動機構の側断面図である。
【図３】図２に示す光ディスク駆動機構に使用される支持ボルトの拡大正面図である。
【図４】図３に示す支持ボルトの拡大断面図である。
【図５】図（Ａ）は従来の光ディスク駆動機構の正面図であり、図（Ｂ）は図（Ａ）に示す光ディスク駆動機構の断面図である。
【図６】図（Ａ）は図５に示す光ディスク駆動機構に使用される支持ボルトの拡大正面図であり、図（Ｂ）は図（Ａ）に示す支持ボルトの拡大断面図である。
【符号の説明】
【００５６】
１  トラバースシャーシ
１１  貫通孔
１２  ガイド軸
２  光ディスク回動部
２１  スピンドルモータ
２２  回転軸
２３  ターンテーブル
３  光ヘッド
３１  係合部
３２  対物レンズ
４  支持ボルト
４０  軸部
４１  雄ねじ部
４２  係合部
４２１  フランジ部
４３  工具係合部
４３１  リブ
４３２  平面部
５  弾性部材
５０  軸孔
５１  接触部
５２  押圧部
５３  爪部
５４  接続部
【図１】
2006338764.tif 000003
【図２】
2006338764.tif 000004
【図３】
2006338764.tif 000005
【図４】
2006338764.tif 000006
【図５】
2006338764.tif 000007
【図６】
2006338764.tif 000008